(57)【要約】【課題】使用後のスプーンを袋内に戻して保管することもなく、さらには意匠性を損なうことなくスプーンを保管することができるサイドガゼット袋を提供する。【解決手段】袋の左右両側にそれぞれサイドガゼット部１３，１３を有するサイドガゼット袋であって、左右両側のサイドガゼット１３，１３部の内、少なくとも一方のサイドガゼット部１３の内側にポケット用シート１５の上下左右の周縁部をヒートシールや超音波シール、高周波シール等によって背チャックする共に、ポケット用シート１５に対向するサイドガゼット部１３に切り込み部１３ａを入れて、出入口１６ａを有するポケット１６をサイドガゼット部１３に設ける。【選択図】図１
2020117251.tif 000002
【特許請求の範囲】
【請求項１】
袋の左右両側にそれぞれサイドガゼット部を設けたサイドガゼット袋であって、
前記左右両側のサイドガゼット部の内、少なくとも一方のサイドガゼット部にポケット用シートを貼付けて出入口を有するポケットを設けたことを特徴とするポケット付きサイドガゼット袋。
【請求項２】
請求項１記載のポケット付きサイドガゼット袋において、
前記ポケット用シートは、その上下左右４辺の周縁部を前記左右両側のサイドガゼット部の内、少なくとも一方のサイドガゼット部の内側に接着して前記ポケットを設けると共に、当該ポケット用シートを貼り付けたサイドガゼット部には、切り込みを入れて当該ポケットの出入口としたことを特徴とするポケット付きサイドガゼット袋。
【請求項３】
請求項１または請求項２に記載のポケット付きサイドガゼット袋において、
前記ポケットの出入口下方のポケット内の前記ポケット用シート上部近傍と、前記ポケット用シート上部近傍に対向する前記サイドガゼット部の対向部分には、互いに接着および分離可能なチャックまたは面ファスナー等の接着・分離手段を設けたことを特徴とするポケット付きサイドガゼット袋。
【請求項４】
請求項２に記載のポケット付きサイドガゼット袋において、
前記ポケット用シートの上側は、その先端部を下側に折り返した後、当該ポケット用シートの上下左右４辺の周縁部を前記左右両側のサイドガゼット部の内、少なくとも一方のサイドガゼット部の内側に接着して前記ポケットを設けると共に、当該ポケット用シートを貼り付けたサイドガゼット部には、前記ポケット用シートの折り返した先端部よりも高い位置で切り込みを入れて、前記ポケットの出入口に前記ポケット用シートの折り返し部分が露出するように構成したことを特徴とするポケット付きサイドガゼット袋。
【請求項５】
請求項２に記載のポケット付きサイドガゼット袋において、
前記ポケットの出入口は、当該ポケットが設けられたサイドガゼット部の前記２つ折り線近傍を山の頂点とする山形形状に形成されており、
前記ポケット用シートにおける左右両側のサイドシール部における前記山形形状の出入口の上方には、当該ポケットが設けられたサイドガゼット部の前記２つ折り線に向かって左右両側のサイドシール部から突出してサイドガゼット部とポケット用シートとを接着する追加シール部が設けられていることを特徴とするポケット付きサイドガゼット袋。
【発明の詳細な説明】
【技術分野】
【０００１】
本発明は、袋の左右両側にそれぞれサイドガゼット部を設けたサイドガゼット袋に関する。
【背景技術】
【０００２】
近年、包装袋として、内容物を充填した場合に左右両側の折畳んだマチであるサイドガゼット部が広がって袋全体として立体的となり、自立した状態で陳列することが可能なサイドガゼット袋の利用が増大している（例えば、特許文献１〜３参照。）。サイドガゼット袋は、サイドガゼット部のない袋と較べると大容量の内容物を収容できる。
【０００３】
このような包装袋においてプロテインやトロミ剤等の粉末状ないしは顆粒状の粉体を収容する場合、それらの収容物（内蔵物）を取り出すために付属品のスプーンを使用することが多く、付属品のスプーンを収納するためスプーンを収納した小袋を包装袋の表面に糊やホットメルトで直接貼り付けたり、スプーンを小袋にいれず裸のままあるいは小袋に入れて内容物と共に包装袋内に入れた状態で販売されている。また、最近は付属品としてスプーンを付けずに市販のスプーンを使用するものもある。
【０００４】
また、包装袋の表側シートにポケットを設け、スプーンやスティックシュガー等を収容可能な包装袋も提案されている（例えば、特許文献４参照。）。
【先行技術文献】
【特許文献】
【０００５】
【特許文献１】特許第５５６３１１６号公報
【特許文献２】特許第５９７２９２３号公報
【特許文献３】特許第５９６９４４９号公報
【特許文献４】特許第５８１８１２１号公報
【発明の概要】
【発明が解決しようとする課題】
【０００６】
しかし、スプーンを収納した小袋を包装袋の表面に糊やホットメルトで直接貼り付ける場合には、流通・陳列時に小袋の分だけスペースが必要であると共に、小袋が脱落するおそれがあり、さらには意匠性が損なわれる等の問題がある。
【０００７】
また、スプーンをそのまま内容物と共に包装袋内部に収容した場合には、スプーンの柄（取っ手）部分等に内容物が付着したり、スプーン全体が内容物に埋もれて探し出すことが困難等の問題があり、スプーンを小袋に収納して内容物と共に包装袋内部に入れた場合でもその小袋が粉体に埋もれたり、使用後のスプーンの保管場所の点で問題が残る。
【０００８】
また、特許文献４のように包装袋の表側シートにポケットを設けた場合には、スプーンの保管場所の点では問題はないが、ポケットに入れたスプーン等が包装袋の正面に位置するので、意匠性が損なわれるという問題がある。
【０００９】
そこで、本発明はこのような問題に着目してなされたもので、使用後のスプーンを袋内に戻して保管することもなく、さらには意匠性を損なうことなくスプーンを保管することができるサイドガゼット袋を提供することを目的とする。
【課題を解決するための手段】
【００１０】
上記課題を解決するため、本発明に係るポケット付きサイドガゼット袋は、袋の左右両側にそれぞれサイドガゼット部を設けたサイドガゼット袋であって、前記左右両側のサイドガゼット部の内、少なくとも一方のサイドガゼット部にポケット用シートを貼付けて出入口を有するポケットを設けたことを特徴とする。
また、本発明に係るポケット付きサイドガゼット袋では、前記ポケット用シートは、その上下左右４辺の周縁部を前記左右両側のサイドガゼット部の内、少なくとも一方のサイドガゼット部の内側に接着して前記ポケットを設けると共に、当該ポケット用シートを貼り付けたサイドガゼット部には、切り込みを入れて当該ポケットの出入口としたことも特徴とする。
また、本発明に係るポケット付きサイドガゼット袋では、前記ポケットの出入口下方のポケット内の前記ポケット用シート上部近傍と、前記ポケット用シート上部近傍に対向する前記サイドガゼット部の対向部分には、互いに接着および分離可能なチャックまたは面ファスナー等の接着・分離手段を設けたことも特徴とする。
また、本発明に係るポケット付きサイドガゼット袋では、前記ポケット用シートの上側は、その先端部を下側に折り返した後、当該ポケット用シートの上下左右４辺の周縁部を前記左右両側のサイドガゼット部の内、少なくとも一方のサイドガゼット部の内側に接着して前記ポケットを設けると共に、当該ポケット用シートを貼り付けたサイドガゼット部には、前記ポケット用シートの折り返した先端部よりも高い位置で切り込みを入れて、前記ポケットの出入口に前記ポケット用シートの折り返し部分が露出するように構成したことも特徴とする。
また、本発明に係るポケット付きサイドガゼット袋では、前記ポケットの出入口は、当該ポケットが設けられたサイドガゼット部の前記２つ折り線近傍を山の頂点とする山形形状に形成されており、前記ポケット用シートにおける左右両側のサイドシール部における前記山形形状の出入口の上方には、当該ポケットが設けられたサイドガゼット部の前記２つ折り線に向かって左右両側のサイドシール部から突出してサイドガゼット部とポケット用シートとを接着する追加シール部が設けられていることも特徴とする。
【発明の効果】
【００１１】
本発明のポケット付きサイドガゼット袋では、左右両側のサイドガゼット部の内、少なくとも一方のサイドガゼット部にポケット用シートを貼付けて出入口を有するポケットを設けたため、内容物を取り出すスプーンの保管（収容）場所としてサイドガゼット部のポケットを利用することができる。
そのため、スプーンを袋内に入れずに保管（収容）するので、スプーンが袋内の内容物に埋もれることを防止できると共に、スプーンの柄等に内容物が付き難くすることができる。
また、スプーンを保管（収容）するポケットはサイドガゼット部に設けているので、正面からはポケットが目立ち難くなり、意匠性を損なうことなくスプーンを保管（収容）することができる。
【図面の簡単な説明】
【００１２】
【図１】本発明に係る実施形態１のポケット付きサイドガゼット袋のポケットにスプーンを入れる際の状態を示す斜視図である。
【図２】本発明に係る実施形態１のポケット付きサイドガゼット袋の構成を示す図である。
【図３】本発明に係る実施形態１のポケット付きサイドガゼット袋のポケットにスプーンを入れた状態を示す斜視図である。
【図４】（ａ），（ｂ）それぞれスプーン収納前、スプーン収納後の実施形態１のポケット付きサイドガゼット袋のサイドガゼット部のＡ−Ａ’線断面図である。
【図５】（ａ），（ｂ）それぞれスプーン収納前、スプーン収納後の実施形態２のポケット付きサイドガゼット袋のサイドガゼット部の断面図である。
【図６】本発明に係る実施形態３のポケット付きサイドガゼット袋のサイドガゼット部にポケット用シートを貼り付ける前の状態を示す斜視図である。
【図７】本発明に係る実施形態３のポケット付きサイドガゼット袋のサイドガゼット部にポケット用シートの上下左右４辺の周縁部をシールしてポケットを設けた状態を示す斜視図である。
【図８】（ａ），（ｂ）それぞれスプーン収納前、スプーン収納後の実施形態３のポケット付きサイドガゼット袋のサイドガゼット部の断面図である。
【図９】（ａ），（ｂ）それぞれ本発明に係る実施形態４のポケット付きサイドガゼット袋のサイドガゼット部に切り込み部を設けた状態、さらに追加シール部を設けた状態を示す平面図である。
【図１０】本発明に係る実施形態４のポケット付きサイドガゼット袋のサイドガゼット部にポケットの出入口の形状および追加シール部を設け、舌片部を折り返した状態を示す斜視図である。
【図１１】本発明に係る実施形態４のポケット付きサイドガゼット袋のサイドガゼット部に設けたポケットにスプーンを収納した状態を示す斜視図である。
【発明を実施するための形態】
【００１３】
以下、本発明に係るポケット付きサイドガゼット袋の実施形態１〜４について、図面を参照して説明する。尚、以下に説明する実施形態１〜４は、あくまで本発明の一例であり、本発明にかかるポケット付きサイドガゼット袋は、本発明の技術的思想の範囲内で適宜変更可能である。
【００１４】
実施形態１.
実施形態１のポケット付きサイドガゼット袋１は、図１に示すように、表側シート１１と裏側シート１２の左右両側縁に沿って、袋内に収納物を入れていない場合には、２つ折り線Ｌを中心に２つ折りされる左右両側のサイドガゼット部１３，１３を有する袋で、例えば、その中に収容したプロテインやトロミ剤等の粉末状ないしは顆粒状の粉体を決まった量だけ取り出す付属品または市販のスプーン２を格納するポケット１６を設けたことを特徴とする。尚、図１において、１４は底部シートである。
【００１５】
具体的には、実施形態１のポケット付きサイドガゼット袋１は、表側シート１１と、裏側シート１２と、表側シート１１と裏側シート１２の左右の両側縁に沿って図上鉛直方向に延び、２つ折り線Ｌに沿って２つ折りされる左右両側のサイドガゼット部１３，１３と、底部シート１４とをそれぞれ別々のパーツで有しており、これらのシートの周縁部をヒートシールや超音波シール、高周波シール等によって接着して包装袋を構成している。尚、表側シート１１、裏側シート１２、サイドガゼット部１３，１３、底部シート１４および後述するポケット用シート１５は、気密性の高いプラスチック製のフィルムから構成されている。
【００１６】
左右両側のサイドガゼット部１３，１３は、図２に示すようにそれぞれ上端部分を斜めに折り返して三角フラップ部１３ｂ，１３ｂを形成しており、表側シート１１と裏側シート１２の左右両端部間に挿入した後、表側シート１１と裏側シート１２の左右両端部および下端部をヒートシールや超音波シール、高周波シール等によって接着している。
【００１７】
図２において、１１ａはサイドガゼット部１３，１３を挿入していない箇所では表側シート１１と裏側シート１２とをヒートシールや超音波シール、高周波シール等によって接着したサイドシール部、サイドガゼット部１３，１３を挿入した箇所では表側シート１１または裏側シート１２とサイドガゼット部１３，１３とを同様に接着したサイドシール部である。また、１１ｂは表側シート１１または裏側シート１２と底部シート１４とを同様に接着した底部シール部であり、サイドガゼット部１３，１３下端と底部シート１４も同様に接着されている。尚、図２では、裏側シート１２および底部シート１４は、図示を省略している。
【００１８】
そして、実施形態１のポケット付きサイドガゼット袋１では、左右両側のサイドガゼット部１３，１３の内、少なくとも一方（図２では、左側。）のサイドガゼット部１３では、サイドガゼット部１３に内側からポケット用シート１５の上下左右の周縁をヒートシールや超音波シール、高周波シール等により接着してそれぞれポケット上部シール部１５ａ、ポケット下部シール部１５ｂおよびポケットサイドシール部１５ｃ，１５ｃを設けてポケット１６を設けると共に、当該ポケット用シート１５を貼り付けたサイドガゼット部１３側には、ポケット上部シール部１５ａの少し下方の高さに、図１や図３に示すように水平方向の切り込み部１３ａを入れてポケット１６の出入口（開口部）１６ａとしている。
【００１９】
そのため、図１に示すように出入口１６ａからポケット１６内へスプーン２を入れて、図３に示すようにポケット１６内にスプーン２を収容した状態で販売したり、あるいは内容物が入ったポケット付きサイドガゼット袋１を購入したユーザがその内容物である粉末状ないしは顆粒状の粉体をスプーン２で取り出した後、そのスプーン２をサイドガゼット部１３のポケット１６に保管することができる。
【００２０】
尚、図２に示す状態では、ポケット付きサイドガゼット袋１の上端部はヒートシールや超音波シール、高周波シール等によって接着していないが、上端部は内容物を充填した後にヒートシールや超音波シール、高周波シール等によって接着して図１や図３に示すように封止する。ここで、袋の上端部は、単に表側シート１１上端部と裏側シート１２上端部とをヒートシールや超音波シール等により接着するだけでも良いが、さらに表側シート１１上端部と裏側シート１２上端部とにそれぞれ凹凸（雄雌）部分が嵌ることにより繰り返し開閉可能な公知のチャック（図示せず。）を設けたり、スライド式の公知のチャックを設けても良い。
【００２１】
図４（ａ），（ｂ）は、それぞれ、図３におけるＡ−Ａ’線断面図であり、図３（ａ）はサイドガゼット部１３のポケット１６にスプーン２等、何も入れていない状態を示しており、図３（ｂ）は、サイドガゼット部１３のポケット１６にスプーン２を入れた状態を示している。
【００２２】
つまり、図４（ａ）は、サイドガゼット部１３の内側にポケット用シート１５の上下左右の周縁部をヒートシールや超音波シール、高周波シール等によって貼り付けると共に、サイドガゼット部１３とポケット用シート１５上縁部との接着部分であるポケット上部シール部１５ａの少し下方となるサイドガゼット部１３側に水平方向の切り込み部１３ａを入れてポケット１６を設けた状態を示しており、ポケット１６には何も入れていない。
【００２３】
図４（ｂ）は、図４（ａ）に示すようにして設けたポケット１６に、切り込み部１３ａによってサイドガゼット部１３に形成し出入口１６からスプーン２を入れた状態を示している。尚、実施形態１のポケット付きサイドガゼット袋１では、図３および図４（ｂ）に示すように、スプーン２の柄（取っ手）部分２ｂ部分まで、つまりスプーン２全体がサイドガゼット部１３のポケット１６に収容できるような大きさのポケット用シート１５を貼付けると共に、出入口１６ａを設ける高さもポケット１６に収容するスプーン２の大きさを考慮している。
【００２４】
＜実施形態１のポケット付きサイドガゼット袋１の主な効果＞
従って、実施形態１のポケット付きサイドガゼット袋１では、左右両側のサイドガゼット部１３，１３の内、少なくとも一方のサイドガゼット部１３の内側にポケット用シート１５の上下左右の周縁部をヒートシールや超音波シール、高周波シール等によって接着してポケット上部シール部１５ａ、ポケット下部シール部１５ｂおよびポケットサイドシール部１５ｃ，１５ｃを設けると共に、ポケット用シート１５を貼り付けたサイドガゼット部１３側にはポケット上部シール部１５ａの下方に切り込み部１３ａを入れて出入口１６ａを有するポケット１６を設けたため、内容物を取り出すスプーン２の保管場所をサイドガゼット１３のポケット１６に確保することができる。
【００２５】
そのため、実施形態１のポケット付きサイドガゼット袋１では、サイドガゼット１３のポケット１６にスプーン２を保管でき、正面から見た場合、スプーン２が表側シート１１側や裏側シート１２側に現れないので、意匠性を損なうことなくスプーン２を保管することができると共に、店舗に並べる際も流通・陳列時にスペースをとることがなくなる。
【００２６】
また、ポケット１６がポケット付きサイドガゼット袋１の外部となるので、スプーン２がサイドガゼット袋１内の内容物に埋もれることを防止できると共に、スプーン２の柄２１等の持ち手部分にポケット付きサイドガゼット袋１内の内容物が付着することを防止でき、スプーン２を使用し易くすることができる。さらに、使用後のスプーン２をサイドガゼット袋１内に保管することがなくなるので、使用後のスプーン２をサイドガゼット袋１内に保管することによる衛生上の問題も無くすことができる。
【００２７】
尚、上記実施形態の説明では、左右両側のサイドガゼット部１３，１３の内、一方のサイドガゼット部１３にポケット１６を設けて説明したが、本発明ではこれに限らず、左右両側のサイドガゼット部１３，１３それぞれにポケット１６を設けても勿論良い。
【００２８】
また、上記実施形態の説明では、サイドガゼット部１３の内側にポケット用シート１５の上下左右の周縁を貼付けて出入口１６ａを有するポケット１６を設けて説明したが、本発明ではこれに限らず、サイドガゼット部１３の外側にポケット用シート１５の左右下部周縁を貼付けてポケットを設けるようにしても勿論良い。この場合、サイドガゼット部１３の外側にポケット用シート１５を貼り付けてポケット１６を設けるため、サイドガゼット部１３に切り込み部１３ａを入れなくても、ポケット１６上縁部を接着しないことにより出入口１６ａを設けることができる。
【００２９】
実施形態２．
次に、実施形態２のポケット付きサイドガゼット袋１について説明する。実施形態２のポケット付きサイドガゼット袋１では、ポケット１６の出入口１６ａからスプーン２が脱落し難くなるように構成したものである。
【００３０】
図５（ａ）は、実施形態２のポケット付きサイドガゼット袋１におけるポケット１６を設けたサイドガゼット１３の断面図であり、図５（ａ）はスプーン２を収納前の状態を示すサイドガゼット１３の断面図、図５（ｂ）はスプーン２を収納後の状態を示すサイドガゼット１３の断面図である。尚、図５（ａ），（ｂ）は、図３におけるＡ−Ａ’部分に相当しており、図４（ａ），（ｂ）に対応する図である。
【００３１】
図５（ａ），（ｂ）から明らかなように、実施形態２のポケット付きサイドガゼット袋１では、ポケット１６の出入口１６ａ下方のポケット内のポケット用シート１５上部近傍と、ポケット用シート１５上部近傍に対向するサイドガゼット１３部の対向部分には、互いに指で簡単に接着および分離可能な接着・分離手段として、それぞれ、この手の包装袋の接着・分離手段として多用されている周知の雄側チャック１７ａと雌側チャック１７ｂとを設けている。尚、それ以外の構成は、上述した実施形態１のポケット付きサイドガゼット袋１と同じであるので、同じ部分の説明は省略する。
【００３２】
そのため、図５（ａ）に示すようにサイドガゼット１３のポケット１６にスプーン２を収容していない状態だけでなく、図５（ｂ）に示すようにサイドガゼット１３のポケット１６にスプーン２を収容した状態でも、ポケット１６の出入口１６ａ下方のポケット用シート１５上部近傍と、対向するサイドガゼット１３部の対向部分の雄側チャック１７ａと雌側チャック１７ｂとが接着することにより、ポケット１６の出入口１６ａを確実に封緘することができる。
【００３３】
従って、実施形態２のポケット付きサイドガゼット袋１によれば、実施形態１のポケット付きサイドガゼット袋１と同様の効果が得られると共に、ポケット１６の出入口１６ａ下方のポケット内のポケット用シート１５上部近傍とそれに対向するサイドガゼット１３部の対向部分の接着・分離手段である雄側チャック１７ａと雌側チャック１７ｂとによってスプーン２を収容した状態でもポケット１６の出入口１６ａを封緘することができるので、サイドガゼット１３のポケット１６にスプーン２を収容した状態で販売した場合でも、雄側チャック１７ａと雌側チャック１７ｂとによってスプーン２を収容した状態でもポケット１６の出入口１６ａを封緘することによってスプーン２の脱落や紛失を防止することができると共に、販売後におけるユーザの使用時においても出入口１６ａを封緘することによってスプーン２の脱落や紛失を防止することができる
【００３４】
尚、実施形態２のポケット付きサイドガゼット袋１では、接着・分離手段として雄側チャック１７ａと雌側チャック１７ｂとを設けて説明したが、本発明ではこれに限定されるものではなく、雄側面ファスナーと雌側面ファスナー等の接着・分離手段を設け、指で簡単に接着および分離可能となるように構成しても勿論良い。
【００３５】
実施形態３．
次に、実施形態３のポケット付きサイドガゼット袋１について説明する。実施形態３のポケット付きサイドガゼット袋１では、実施形態２のポケット付きサイドガゼット袋１とは異なり雄側チャック１７ａおよび雌側チャック１７ｂ等の接着・分離手段を設けずにポケット１６の出入口１６ａを封緘してスプーン２が脱落し難くなるように構成したものである。
【００３６】
図６は、実施形態３のポケット付きサイドガゼット袋１のサイドガゼット１３’と、そのサイドガゼット１３’に貼り付けるポケット用シート１５’の状態を示す斜視図である。
【００３７】
図６に示すように、実施形態３のポケット付きサイドガゼット袋１では、ポケット１６を設けるためサイドガゼット１３’に上下左右の周縁部を接着するポケット用シート１５’の上部を所定長だけ下方に折り返して折り返し部１５ｄ’を設ける一方、そのポケット用シート１５’を貼り付けるサイドガゼット１３’には、ポケット１６’の出入口１６ａ’を設けるためコの字を反時計方向に９０度回転させた形状の水平切り込み部１３ａ１’および一対の垂直切り込み部１３ａ２’，１３ａ２’よりなる切り込み部１３ａ’を入れて、水平切り込み部１３ａ１’および一対の垂直切り込み部１３ａ２’，１３ａ２’により囲まれた舌片部１３ａ３’を設ける。
【００３８】
そして、図７に示すようにサイドガゼット１３’の内側と、折り返し部１５ｄ’を設けたポケット用シート１５’とをポケット用シート１５’の上下左右の周縁部であるポケット上部シール部１５ａ’、ポケット下部シール部１５ｂ’およびポケットサイドシール部１５ｃ’，１５ｃ’でヒートシールや超音波シール、高周波シール等によって接着し、サイドガゼット１３’内側とポケット用シート１５’との間にポケット１６’を設ける。
【００３９】
その際、サイドガゼット１３’に入れる切り込み部１３ａ’の水平切り込み部１３ａ１’の左右両端部は、図７に示すようにポケットサイドシール部１５ｃ’，１５ｃ’よりも内側である２つ折り線Ｌ側となるようにし、かつ、切り込み部１３ａ’の水平切り込み部１３ａ１’の高さは、ポケット用シート１５’の折り返し部１５ｄ’の下端部１５ｄ１’の高さよりも高くなるように切り込み部１３ａ’の水平切り込み部１３ａ１’を設ける。
【００４０】
また、切り込み部１３ａ’の左右両側の垂直切り込み部１３ａ２’，１３ａ２’は、それぞれ、図７に示すようにポケットサイドシール部１５ｃ’，１５ｃ’よりも内側である２つ折り線Ｌ側となるようにし、かつ、垂直切り込み部１３ａ２’，１３ａ２’の下端部がポケット用シート１５’の折り返し部１５ｄ’の下端部１５ｄ１’の高さよりも低くなるように設ける。
【００４１】
すると、ポケット１６内にスプーン２を収納する前は、図７や図８（ａ）に示すようにサイドガゼット１３側の水平切り込み部１３ａ１’および一対の垂直切り込み部１３ａ２’，１３ａ２’により囲まれた舌片部１３ａ３’とポケット用シート１５’の折り返し部１５ｄ’とが部分的に重なる。
【００４２】
そのため、図８（ｂ）に示すようにポケット１６’内にスプーン２を収納した場合、例えば、ユーザは、サイドガゼット１３’の水平切り込み部１３ａ１’および一対の垂直切り込み部１３ａ２’，１３ａ２’により囲まれた舌片部１３ａ３’の上側をポケット用シート１５’の折り返し部１５ｄ’の裏側、すなわちポケット１６’内に入れるようにしても良い。尚、図８（ａ），（ｂ）は、図３におけるＡ−Ａ’部分に相当しており、図４（ａ），（ｂ）に対応する図である。
【００４３】
すると、サイドガゼット１３’の舌片部１３ａ３’上端部とポケット用シート１５’の折り返し部１５ｄ’の下端部との重なり部分が簡易的にポケット１６’の出入口１６ａ’の蓋の役目をするので、雄側チャック１７ａおよび雌側チャック１７ｂ等の接着・分離手段を設けなくてもポケット１６’の出入口１６ａ’を簡易に封緘することができる。
【００４４】
従って、実施形態３のポケット付きサイドガゼット袋１によれば、実施形態１のポケット付きサイドガゼット袋１と同様の効果が得られると共に、実施形態２のポケット付きサイドガゼット袋１とは異なり雄側チャック１７ａおよび雌側チャック１７ｂ等の接着・分離手段を設けなくても、サイドガゼット１３’に設けた水平切り込み部１３ａ１’および一対の垂直切り込み部１３ａ２’，１３ａ２’により囲まれた舌片部１３ａ３’の上側をポケット用シート１５’の折り返し部１５ｄ’の裏側、すなわちポケット１６’内に入れることによってポケット１６の出入口１６ａ’を簡易に封緘することができるので、接着・分離手段を設けない分だけコストを抑制してスプーン２が脱落し難く構成することができる。
【００４５】
特に、実施形態３のポケット付きサイドガゼット袋１では、舌片部１３ａ３’の上側はポケット用シート１５’の折り返し部１５ｄ’と重複しており、図８（ｂ）に示すようにポケット１６’内にスプーン２を収納することによってサイドガゼット１３’が外側に膨らみ、平切り込み部１３ａ１’がある程度下がった場合でも、スプーン２の収納時には舌片部１３ａ３’の上側はポケット用シート１５’の折り返し部１５ｄ’に重複した状態を確保することによってポケット１６’の出入口１６ａ’を簡易に封緘することができる。
【００４６】
そのため、舌片部１３ａ３’の上側がポケット用シート１５’の折り返し部１５ｄ’と重複する上下方向の長さは、ポケット１６’内に収納するスプーン２の大きさを考慮し、ポケット１６’内にスプーン２を収納した後、サイドガゼット１３’の舌片部１３ａ３’の上側をポケット１６’内に入れても、サイドガゼット１３の舌片部１３ａ３’の上端部がポケット用シート１５’の折り返し部１５ｄ’の下端部よりも下がらないように設定すると良い。
【００４７】
実施形態４．
次に、実施形態４のポケット付きサイドガゼット袋１について説明する。実施形態１，２では、サイドガゼット１３に水平切り込み部１３ａを入れ、また、実施形態３では、サイドガゼット１３にコの字を反時計方向に９０度回転させた形状の水平切り込み部１３ａ１’および一対の垂直切り込み部１３ａ２’，１３ａ２’よりなる切り込み部１３ａ’を入れて、それぞれ、ポケット１６，１６’の出入口１６ａ，１６ａ’を設けて説明したが、実施形態４では、ポケット１６”の出入口１６ａ”の形状をさらに変えて、ポケット１６”内にスプーン２を入れ易く構成したことを特徴とする。
【００４８】
図９（ａ），（ｂ）は、それぞれ、実施形態４のポケット付きサイドガゼット袋１のサイドガゼット１３”に設けた出入口１６ａ”の形状と、さらに追加シール部１５ｅ”，１５ｅ”を示す平面図である。
【００４９】
実施形態４のポケット付きサイドガゼット袋１では、図９（ａ），（ｂ）に示すように、ポケット１６”の出入口１６ａ”は、サイドガゼット部１３”の２つ折り線Ｌを山の頂点とする一対の傾斜切り込み部１３ａ”，１３ａ”を設けることによってサイドガゼット部１３”の２つ折り線Ｌ上を山の頂点とする山形（三角）形状に形成して、山形（三角）形状の舌片部１３ａ３”を設ける。
【００５０】
また図９（ｂ）に示すサイドガゼット１３”では、山形（三角）形状の舌片部１３ａ３”を設けた図９（ａ）に示すサイドガゼット１３”の構成に対し、さらにサイドガゼット部１３”とポケット用シート１５の接着部であるポケット上部シール部１５ａ”、ポケット下部シール部１５ｂ”およびポケットサイドシール部１５ｃ”，１５ｃ”の内、左右両側のポケットサイドシール部１５ｃ”，１５ｃ”における山形形状の傾斜切り込み部１３ａ”，１３ａ”の上方に、当該ポケット１６”が設けられたサイドガゼット部１３”の２つ折り線Ｌに向かって左右両側のポケットサイドシール部１５ｃ”，１５ｃ”から突出して接着する追加シール部１５ｅ”，１５ｅ”を設けている。
【００５１】
従って、実施形態４のポケット付きサイドガゼット袋１によれば、実施形態１のポケット付きサイドガゼット袋１と同様の効果が得られると共に、サイドガゼット１３に設けるポケット１６”の出入口１６ａ”は、サイドガゼット部１３”の２つ折り線Ｌを山の頂点とする一対の傾斜切り込み部１３ａ”，１３ａ”により山形（三角）形状に形成しているため、実施形態１〜３の水平方向の出入口１６ａ，１６ａ’と比較して２つ折り線Ｌ上の頂点がある程度自動的に開口し易くなると共に、力が２つ折り線Ｌ上の頂点の一点、すなわち舌片部１３ａ３”先端部に集中し易くなる。
【００５２】
そのため、例えば、ポケット１６”の出入口１６ａ”を開ける際、例えば、図１０に示すように、一対の傾斜切り込み部１３ａ”，１３ａ”によって形成した舌片部１３ａ３”先端部を折り曲げること等が可能となるので、ポケット１６”の出入口１６ａ”が開け易くなり、スプーン２が出入口１６ａ”に引っ掛ることなく収納したり、取り出すことが可能となる。
【００５３】
また、実施形態４のポケット付きサイドガゼット袋１の次の例では、図９(ｂ)に示すようにサイドガゼット部１３”とポケット用シート１５との接着部であるポケット上部シール部１５ａ”、ポケット下部シール部１５ｂ”およびポケットサイドシール部１５ｃ”，１５ｃ”の内、左右両側のポケットサイドシール部１５ｃ”，１５ｃ”における山形形状の傾斜切り込み部１３ａ”，１３ａ”の上方に、当該ポケット１６”が設けられたサイドガゼット部１３”，１３”の２つ折り線Ｌに向かって左右両側のポケットサイドシール部１５ｃ”，１５ｃ”から突出してサイドガゼット部１３”とポケット用シート１５とを接着する追加シール部１５ｅ”，１５ｅ”を設けている。
【００５４】
そのため、図９(ｂ)に示す例の場合は追加シール部１５ｅ”，１５ｅ”によって出入口１６ａ”両側の上方でサイドガゼット部１３”とポケット用シート１５とが接着されるので、出入口１６ａ”がより開き易くなり、スプーン２を収納したり、取り出す際の利便性をさらに向上させることができる。
【００５５】
尚、上記実施形態１〜４のポケット付きサイドガゼット袋１では、サイドガゼット部１３”，１３”は、前側シート１１および後側シート１２とは別部材のサイドガゼット部１３”，１３”のシートを貼り付け構成して説明したが、本発明ではこれに限らず、サイドガゼット部１３”，１３”が設けられれば十分であるので、前側シート１１、後側シート１２およびサイドガゼット部１３”，１３”が一体で構成したサイドガゼット袋１のサイドガゼット部１３”，１３”にポケットを設けるようにしても勿論良い。
【００５６】
また、上記実施形態１〜４のポケット付きサイドガゼット袋１では、サイドガゼット部１３，１３’，１３”の内側にポケット用シート１５を貼り付けてポケット１６，１６’，１６”を設けるように説明したが、本発明ではこれに限らず、サイドガゼット部１３，１３’，１３”の外側にポケット用シート１５を貼り付けてポケット１６，１６’，１６”を設けるようにしても勿論良く、この場合にはポケット用シート１５の左右および下端の周縁部をヒートシールや超音波シール、高周波シール等によりサイドガゼット部１３，１３’，１３”の外側に接着するため、ポケット用シート１５の上端部が出入口１６ａ，１６ａ’，１６ａ”となり、サイドガゼット部１３，１３’，１３”に切り込みを入れることは不要となる。
【符号の説明】
【００５７】
１  ポケット付きサイドガゼット袋
１１  表側シート
１１ａ  サイドシール部
１１ｂ  底部シール部
１２  裏側シート
１３，１３’，１３”  サイドガゼット部
１３ａ，１３ａ’  切り込み部
１３ａ１’  水平切り込み部
１３ａ２’  垂直切り込み部
１３ａ３’  舌片部
１３ａ”  傾斜切り込み部
１３ａ３”  舌片部
１３ｂ，１３ｂ  三角フラップ部
１４  底部シート
１５，１５’，１５”  ポケット用シート
１５ａ，１５ａ’，１５ａ”  ポケット上部シール部
１５ｂ，１５ｂ’，１５ｂ”  ポケット下部シール部
１５ｃ，１５ｃ’，１５ｃ”  ポケットサイドシール部
１５ｄ’  折り返し部
１５ｄ１’  下端部
１５ｅ”  追加シール部
１６，１６’，１６”  ポケット
１６ａ，１６ａ’，１６ａ”  出入口
１７ａ  雄側チャック
１７ｂ  雌側チャック
２  スプーン
【図１】
2020117251.tif 000003
【図２】
2020117251.tif 000004
【図３】
2020117251.tif 000005
【図４】
2020117251.tif 000006
【図５】
2020117251.tif 000007
【図６】
2020117251.tif 000008
【図７】
2020117251.tif 000009
【図８】
2020117251.tif 000010
【図９】
2020117251.tif 000011
【図１０】
2020117251.tif 000012
【図１１】
2020117251.tif 000013